(57)【要約】      （修正有）【課題】欠陥発生時に効率良く積載物（包装物）を再処理することが可能な積載物処理装置を提供する。【解決手段】積載物処理装置は、所定のパレットに付与されているパレット識別情報及びこの所定のパレットに積載された所定数の積載物に付与されている各積載物識別情報を読み取り、読み取られたパレット識別情報及び各積載物識別情報と、既に管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定のパレットの再処理を可能とする。【選択図】図１
2007062831.tif 000002
【特許請求の範囲】
【請求項１】
積載物に対して積載物識別情報を付与する積載物処理手段と、
積載物識別情報が付与された所定数の積載物をパレットに積載し、このパレットに対してパレット識別情報を付与する第１のパレット処理手段と、
パレット識別情報が付与されたパレットに積載された所定数の積載物をこのパレットに対して固定する第２のパレット処理手段と、
パレットに付与されたパレット識別情報、及びこのパレットに積載された所定数の積載物に付与された各積載物識別情報を受け取り、これらパレット識別情報及び各積載物識別情報を含むパレット情報を管理する管理手段と、
再処理モードの指示に基づき、所定のパレットに付与されているパレット識別情報及びこの所定のパレットに積載された所定数の積載物に付与されている各積載物識別情報を読み取り、読み取られたパレット識別情報及び各積載物識別情報と、前記管理手段により管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定のパレットの再処理を制御する再処理手段と、
を備えたことを特徴とする積載物処理装置。
【請求項２】
前記再処理手段は、再処理モードの指示に基づき、前記第２のパレット処理手段を制御し、パレット識別情報が付与されている所定のパレットに対して積載物識別情報が付与されている所定数の積載物を再固定し、この所定のパレットに付与されているパレット識別情報及びこの所定のパレットに積載されたこれら所定数の積載物に付与されている各積載物識別情報を読み取り、読み取られたパレット識別情報及び各積載物識別情報と、前記管理手段により管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定数の積載物が再固定された所定のパレットを再提供することを特徴とする請求項１に記載の積載物処理装置。
【請求項３】
積載物に対して積載物識別情報を付与する積載物処理手段と、
積載物識別情報が付与された所定数の積載物をパレットに積載し、このパレットに対してパレット識別情報を付与する第１のパレット処理手段と、
パレット識別情報が付与されたパレットに積載された所定数の積載物をパレットに対して固定する第２のパレット処理手段と、
パレットに付与されたパレット識別情報、及びこのパレットに積載された所定数の積載物に付与された各積載物識別情報を含むパレット情報を管理する管理手段と、
再処理モードの指示に基づき、前記第１のパレット処理手段を制御して、積載物識別情報が付与されている所定数の積載物をパレット識別情報が付与されていない所定のパレットに積載し、前記第２のパレット処理手段を制御して、この所定のパレットに対してパレット識別情報を付与し、前記所定のパレットに付与されたパレット識別情報及び前記所定数の積載物に付与された各積載物識別情報を読み取り、前記管理手段を制御し、この管理手段により管理されているパレット情報のうち、読み取られた各積載物識別情報を含むパレット情報を削除し、読み取られたパレット識別情報及び読み取られた各積載物識別情報を含むパレット情報を管理する再処理手段と、
を備えたことを特徴とする積載物処理装置。
【請求項４】
前記再処理手段は、再処理モードの指示に基づき、前記第１のパレット処理手段を制御して、積載物識別情報が付与されている所定数の積載物をパレット識別情報が付与されていない所定のパレットに積載し、前記第２のパレット処理手段を制御して、この所定のパレットに対してパレット識別情報を付与し、パレット識別情報が付与された前記所定のパレットに積載された前記所定数の積載物を前記所定のパレットに対して固定し、前記所定のパレットに付与されたパレット識別情報及び前記所定数の積載物に付与された各積載物識別情報を読み取り、前記管理手段を制御し、この管理手段により管理されているパレット情報のうち、読み取られた各積載物識別情報を含むパレット情報を削除し、読み取られたパレット識別情報及び読み取られた各積載物識別情報を含むパレット情報を管理することを特徴とする請求項３に記載の積載物処理装置。
【請求項５】
投入される所定数の紙葉類を一つの積載物にまとめて、この積載物に対して積載物識別情報を付与する積載物処理手段と、
積載物識別情報が付与された所定数の積載物をパレットに積載し、このパレットに対してパレット識別情報を付与する第１のパレット処理手段と、
パレット識別情報が付与されたパレットに積載された所定数の積載物をパレットに対して固定する第２のパレット処理手段と、
パレットに付与されたパレット識別情報、及びこのパレットに積載された所定数の積載物に付与された各積載物識別情報を含むパレット情報を管理する管理手段と、
再処理モードの指示に基づき、前記管理手段を制御して、所定のパレット情報を削除し、前記積載物処理手段を制御して、前記所定のパレット情報に含まれていた所定の積載物識別情報が付与された所定の積載物を構成する所定数の紙葉類の再投入に対応して、この所定数の紙葉類を所定の積載物にまとめ直して、このまとめ直した所定の積載物に対して積載物識別情報を付与し直して、前記第１のパレット処理手段を制御し、このまとめ直した所定の積載物を含む所定数の積載物を所定のパレットに積載し、この所定のパレットに対してパレット識別情報を付与し、前記第２のパレット処理手段を制御し、パレット識別情報が付与された所定のパレットに積載された所定数の積載物をこの所定のパレットに対して固定し、前記管理手段を制御し、この所定のパレットに付与されたパレット識別情報、及びこの所定のパレットに積載された所定数の積載物に付与された各積載物識別情報を含むパレット情報を管理する再処理手段と、
を備えたことを特徴とする積載物処理装置。
【請求項６】
積載物に対して積載物識別情報を付与し、
積載物識別情報が付与された所定数の積載物をパレットに積載し、このパレットに対してパレット識別情報を付与し、
パレット識別情報が付与されたパレットに積載された所定数の積載物をこのパレットに対して固定し、
パレットに付与されたパレット識別情報、及びこのパレットに積載された所定数の積載物に付与された各積載物識別情報を受け取り、これらパレット識別情報及び各積載物識別情報を含むパレット情報を管理し、
再処理モードの指示に基づき、所定のパレットに付与されているパレット識別情報及びこの所定のパレットに積載された所定数の積載物に付与されている各積載物識別情報を読み取り、読み取られたパレット識別情報及び各積載物識別情報と、前記管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定のパレットの再処理を制御する、
ことを特徴とする積載物処理方法。
【請求項７】
再処理モードの指示に基づき、パレット識別情報が付与されている所定のパレットに対して積載物識別情報が付与されている所定数の積載物を再固定し、この所定のパレットに付与されているパレット識別情報及びこの所定のパレットに積載されたこれら所定数の積載物に付与されている各積載物識別情報を読み取り、読み取られたパレット識別情報及び各積載物識別情報と、前記管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定数の積載物が再固定された所定のパレットを再提供することを特徴とする請求項６に記載の積載物処理方法。
【請求項８】
積載物に対して積載物識別情報を付与し、
積載物識別情報が付与された所定数の積載物をパレットに積載し、このパレットに対してパレット識別情報を付与し、
パレット識別情報が付与されたパレットに積載された所定数の積載物をパレットに対して固定し、
パレットに付与されたパレット識別情報、及びこのパレットに積載された所定数の積載物に付与された各積載物識別情報を含むパレット情報を管理し、
再処理モードの指示に基づき、積載物識別情報が付与されている所定数の積載物をパレット識別情報が付与されていない所定のパレットに積載し、この所定のパレットに対してパレット識別情報を付与し、前記所定のパレットに付与されたパレット識別情報及び前記所定数の積載物に付与された各積載物識別情報を読み取り、前記管理されているパレット情報のうち、読み取られた各積載物識別情報を含むパレット情報を削除し、読み取られたパレット識別情報及び読み取られた各積載物識別情報を含むパレット情報を管理する、
ことを特徴とする積載物処理方法。
【請求項９】
再処理モードの指示に基づき、積載物識別情報が付与されている所定数の積載物をパレット識別情報が付与されていない所定のパレットに積載し、この所定のパレットに対してパレット識別情報を付与し、パレット識別情報が付与された前記所定のパレットに積載された前記所定数の積載物を前記所定のパレットに対して固定し、前記所定のパレットに付与されたパレット識別情報及び前記所定数の積載物に付与された各積載物識別情報を読み取り、前記管理されているパレット情報のうち、読み取られた各積載物識別情報を含むパレット情報を削除し、読み取られたパレット識別情報及び読み取られた各積載物識別情報を含むパレット情報を管理することを特徴とする請求項８に記載の積載物処理方法。
【請求項１０】
投入される所定数の紙葉類を一つの積載物にまとめて、この積載物に対して積載物識別情報を付与し、
積載物識別情報が付与された所定数の積載物をパレットに積載し、このパレットに対してパレット識別情報を付与し、
パレット識別情報が付与されたパレットに積載された所定数の積載物をパレットに対して固定し、
パレットに付与されたパレット識別情報、及びこのパレットに積載された所定数の積載物に付与された各積載物識別情報を含むパレット情報を管理し、
再処理モードの指示に基づき、所定のパレット情報を削除し、前記所定のパレット情報に含まれていた所定の積載物識別情報が付与された所定の積載物を構成する所定数の紙葉類の再投入に対応して、この所定数の紙葉類を所定の積載物にまとめ直して、このまとめ直した所定の積載物に対して積載物識別情報を付与し直して、このまとめ直した所定の積載物を含む所定数の積載物を所定のパレットに積載し、この所定のパレットに対してパレット識別情報を付与し、パレット識別情報が付与された所定のパレットに積載された所定数の積載物をこの所定のパレットに対して固定し、この所定のパレットに付与されたパレット識別情報、及びこの所定のパレットに積載された所定数の積載物に付与された各積載物識別情報を含むパレット情報を管理する、
ことを特徴とする積載物処理方法。
【発明の詳細な説明】
【技術分野】
【０００１】
本発明は、投入される紙葉類を所定枚数単位で包装し、各包装物に対して包装識別番号のラベルを貼り付け、所定数の包装物を積載したパレットに対してパレット識別番号のラベルを貼り付け、パレットに対して所定数の包装物を縛着し、各包装物に対して付与された包装識別番号、これら各包装物を積載したパレットに対して付与されたパレット識別番号を対応付けて管理する紙葉類処理装置（積載物処理装置）及び紙葉類処理方法（積載物処理方法）に関する。
【背景技術】
【０００２】
近年、包装された紙葉類を処理する紙葉類処理装置に関する各種提案がなされている（特許文献１参照）。
【０００３】
紙葉類処理装置は、例えば、紙葉類の投入、紙葉類の検査、紙葉類の包装、包装物のパレット積載、パレットに対する包装物の縛着、及びパレット排出を自動化するものであり、さらに、紙葉類の情報や包装物が縛着されたパレットの情報を管理するものでもある。
【特許文献１】特開２００３−２０５９１９
【発明の開示】
【発明が解決しようとする課題】
【０００４】
従来は、作成したパレットに何らかの欠陥が発見されると、例えば、作成したパレットにバンド外れ、積載傾き、包装破れ等の欠陥が発見されると、情報端末で欠陥が発見されたパレットの解除処理を行ない、このパレットをなかったものとする。その後、このパレットの縛着を解体し、パレットに積載されていた全ての包装物を破封して、はじめから(紙葉類の投入から)やり直さなければならなかった。このため、多くの労力と時間を費やしロスが大きかった。
【０００５】
本発明の目的は、上記課題を解決するためになされたものであり、欠陥発生時に効率良く積載物（包装物）を再処理することが可能な積載物処理装置及び積載物処理方法を提供することにある。
【課題を解決するための手段】
【０００６】
この発明の積載物処理装置及び積載物処理方法は、以下のように構成されている。
【０００７】
（１）この発明の積載物処理装置は、積載物に対して積載物識別情報を付与する積載物処理手段と、積載物識別情報が付与された所定数の積載物をパレットに積載し、このパレットに対してパレット識別情報を付与する第１のパレット処理手段と、パレット識別情報が付与されたパレットに積載された所定数の積載物をこのパレットに対して固定する第２のパレット処理手段と、パレットに付与されたパレット識別情報、及びこのパレットに積載された所定数の積載物に付与された各積載物識別情報を受け取り、これらパレット識別情報及び各積載物識別情報を含むパレット情報を管理する管理手段と、再処理モードの指示に基づき、所定のパレットに付与されているパレット識別情報及びこの所定のパレットに積載された所定数の積載物に付与されている各積載物識別情報を読み取り、読み取られたパレット識別情報及び各積載物識別情報と、前記管理手段により管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定のパレットの再処理を制御する再処理手段とを備えている。
【０００８】
（２）この発明の積載物処理方法は、積載物に対して積載物識別情報を付与し、積載物識別情報が付与された所定数の積載物をパレットに積載し、このパレットに対してパレット識別情報を付与し、パレット識別情報が付与されたパレットに積載された所定数の積載物をこのパレットに対して固定し、パレットに付与されたパレット識別情報、及びこのパレットに積載された所定数の積載物に付与された各積載物識別情報を受け取り、これらパレット識別情報及び各積載物識別情報を含むパレット情報を管理し、再処理モードの指示に基づき、所定のパレットに付与されているパレット識別情報及びこの所定のパレットに積載された所定数の積載物に付与されている各積載物識別情報を読み取り、読み取られたパレット識別情報及び各積載物識別情報と、前記管理されているパレット情報に含まれるパレット識別情報及び各積載物識別情報とを比較し、読み取られたパレット識別情報と管理されているパレット識別情報の一致、及び読み取られた各積載物識別情報と管理されている各積載物識別情報の一致を検査し、検査結果に基づき所定のパレットの再処理を制御する。
【発明の効果】
【０００９】
本発明によれば、欠陥発生時に効率良く積載物（包装物）を再処理することが可能な積載物処理装置及び積載物処理方法を提供できる。
【発明を実施するための最良の形態】
【００１０】
以下、図面を参照し、本発明の実施形態について説明する。
【００１１】
図１は、この発明の一例の紙葉類処理装置（積載物処理装置）の概略構成を示すブロック図である。
【００１２】
図１に示すように、紙葉類処理装置は、取出装置１、検査装置２、包装装置３、パレット積載装置４、パレット縛着装置５、情報端末（例えばＰＣ）６〜１０、データベースサーバ１１、データベース１２、紙葉類投入口１３、及び包装物投入口１４を備えている。
【００１３】
取出装置１は、台車に積載された紙葉類を１つずつ取り出す。検査装置２は、紙葉類もしくは貼付ラベル等に印刷された紙葉類識別番号を読み取る。包装装置３は、検査済みの紙葉類を規定数（所定数）ずつ包装し、包装物（積載物）に対して包装識別番号（積載物識別情報）等を印刷したラベルを貼付する。パレット積載装置４は、包装識別番号を印刷したラベルが貼り付けられた包装物をパレットに積載する。パレット縛着装置５は、コンベアによりパレット積載装置４に連結されており、パレット積載装置４から包装物が積載されたパレットを受け取り、パレットに積載された包装物をパレットに対して縛着（固定）する。
【００１４】
取出装置１には情報端末６が接続されており、検査装置２には情報端末７が接続されており、包装装置３には情報端末８が接続されており、パレット積載装置４には情報端末９が接続されており、パレット縛着装置５には情報端末１０が接続されている。情報端末６〜１０は、紙葉類識別番号、包装物識別番号、及びパレット識別番号等の情報を管理する。これら情報端末６〜１０は、ＬＡＮによりデータベースサーバ１１と接続されている。データベースサーバ１１は、情報端末６〜１０により生成された紙葉類識別番号、包装物識別番号、及びパレット識別番号等の情報を保存し管理する。データベースサーバ１１のデータベース１２は、例えば、過去一定期間の間に情報端末６〜１０により生成された紙葉類識別番号、包装物識別番号、及びパレット識別番号等の情報を保存する。
【００１５】
以下、さらに具体的に、紙葉類処理装置の基本動作を説明する。
【００１６】
取出装置１は、台車に積載された紙葉類を１つずつ取り出し検査装置２に送る。検査装置２は、紙葉類から紙葉類識別番号を読み取り、読み取った紙葉類識別番号を情報端末７に送信する。情報端末７は、受信した紙葉類識別番号とデータベース１２に保存された既に処理済みの紙葉類識別番号を比較し重複を検査し、紙葉類識別番号及び検査結果を検査装置２と情報端末８に送信する。検査装置２は、検査結果が正常な紙葉類のみ包装装置３に送る。つまり、検査装置２は、既に処理済みの紙葉類に該当しない紙葉類（新規の紙葉類）のみ包装装置３に送る。
【００１７】
包装装置３は、規定数（所定数）の紙葉類を集積し、これら規定数の紙葉類を包装し、包装物を識別する包装物識別番号等を印刷したラベルを貼付し、包装物識別番号を情報端末８に送信し、パレット積載装置４に包装物を送る。情報端末８は、情報端末７から受信した紙葉類識別番号と包装装置３から受信した包装物識別番号を関連づけて包装物情報としてデータベース１２に保存する。
【００１８】
パレット積載装置４は、包装物をパレットに積載し、規定数（所定数）積載すると、パレットを識別するパレット識別番号等を印刷したラベルをパレットに貼付し、規定数の包装物を積載したパレットをパレット縛着装置５に送る。パレット縛着装置５は、パレットに積載された規定数の包装物をこのパレットに対して縛着（固定）し、パレットからパレット識別番号を読み取り、積載された各包装物から包装物識別番号を読み取り、これら読み取ったパレット識別番号及び包装物識別番号を情報端末１０に送信する。情報端末１０は、受信したパレット識別番号及び包装物識別番号と、データベース１２に保存した既に処理済みのパレット識別番号及び包装物識別番号を比較することにより重複を検査し、受信したパレット識別番号と包装物識別番号を関連づけてパレット情報としてデータベース１２に保存し、検査結果をパレット縛着装置５に送信する。パレット縛着装置５は、検査結果が正常なパレットのみ排出する。つまり、パレット縛着装置５は、既に処理済みのパレット及び既に処理済みの包装物に該当しないことを条件に（新規のパレット及び新規の包装物であることを条件に）、処理したパレットを排出する。
【００１９】
次に、パレットのバンド外れ等の縛着不良が見つかった場合の処理について説明する。パレットのバンド外れ等の縛着不良を見つけたオペレータは、例えば情報端末１０を介して再縛着モード（再処理モード）を設定し、縛着不良パレット（所定のパレット）のバンドを切断して、このパレット（規定数の包装物を積載し、パレット識別番号が付与されている所定のパレット）をパレット縛着装置５の排出口に投入する。
【００２０】
パレット縛着装置５は、排出口からパレット（規定数の包装物を積載し、パレット識別番号が付与されている所定のパレット）を取り込み、このパレットに積載されている所定数の包装物（包装物識別番号が付与されている所定数の包装物）をこのパレットに対して縛着し、このパレットからパレット識別番号を読み取り、このパレットに積載された各包装物から包装物識別番号を読み取り、パレット識別番号及び包装物識別番号を情報端末１０に送信する。
【００２１】
情報端末１０は、受信したパレット識別番号及び包装物識別番号と、データベース１２に保存した既に処理済みのパレット識別番号及び包装物識別番号を比較し、受信したパレット識別番号及び既に処理済みのパレット識別番号の一致と、受信した各積載物識別番号及び既に処理済みの各積載物識別番号の一致を検査し、パレット識別番号と包装物識別番号を関連づけてパレット情報としてデータベース１２に保存し、検査結果をパレット縛着装置５に送信する。パレット縛着装置５は、検査結果が正常なパレットのみ排出する。つまり、パレット縛着装置５は、既に処理済みのパレット及び既に処理済みの包装物に該当することを条件に、再処理したパレットの排出を許可する。
【００２２】
以上により、作成したパレットに縛着不良等の欠陥(積載物には問題ない)が見つかった場合に、パレットの縛着のみをやり直し、再縛着されたパレットのパレット識別番号及びこの再縛着されたパレットに積載された包装物識別番号と、データベースにより管理されているパレット識別番号及び包装物識別番号との比較結果に基づき、既に処理されたパレット及び包装物の再縛着であることを確認（一致検査）するので、少ない労力と短い時間で（必要最小限のやり直しで）、正しくパレットを再作成することができる。つまり、作成したパレットに何らかの欠陥が見つかった場合に、パレットを最初から作成し直す必要がなくなり、業務の効率を向上することができる。
【００２３】
次に、パレットの積載傾き等の積載不良が見つかった(包装物には問題なし)場合について説明する。パレットの積載傾き等の積載不良を見つけたオペレータは、例えば情報端末１０を介して再積載モード（再処理モード）を設定し、積載不良パレット（所定のパレット）を解体し、このパレットから規定数の包装物（包装物識別番号が付与されている規定数の包装物）を取り外す。取り外した規定数の包装物は、パレット積載装置４の手前の包装物投入口１４から投入される。パレット積載装置４は、これら規定数の包装物をパレット（パレット識別番号が付与されていない新規パレット）に積載し、このパレットにパレット識別番号等を印刷したラベルを貼り付け、規定数の包装物を積載しパレット識別番号が付与されたパレットをパレット縛着装置５に送る。
【００２４】
パレット縛着装置５は、パレットに積載された包装物をパレットに対して縛着し、パレットからパレット識別番号を読み取り、パレットに積載された各包装物から包装物識別番号を読み取り、パレット識別番号及び包装物識別番号を情報端末１０に送信する。情報端末１０は、受信した包装物識別番号をもつパレット情報をデータベース１２から削除した後、受信したパレット識別番号及び包装物識別番号と、データベース１２に保存した既に処理済みのパレット識別番号及び包装物識別番号とを比較することにより重複を検査し、受信したパレット識別番号及び包装物識別番号を関連づけてパレット情報としてデータベース１２に保存し、検査結果をパレット縛着装置５に送信する。パレット縛着装置５は、検査結果が正常なパレットのみ排出する。つまり、パレット縛着装置５は、重複していないことを条件に、再処理したパレットの排出を許可する。
【００２５】
以上により、作成したパレットに積載不良等の欠陥(積載物には問題ない)が見つかった場合に、パレットの積載のみをやり直し、再積載されたパレットに積載された包装物識別番号と、データベースにより管理されている包装物識別番号との比較結果に基づき、既に処理された包装物の再積載であることを確認（一致検査）するので、少ない労力と短い時間で（必要最小限のやり直しで）、正しくパレットを再作成することができる。つまり、作成したパレットに何らかの欠陥が見つかった場合に、パレットを最初から作成し直す必要がなくなり、業務の効率を向上することができる。
【００２６】
次に、パレットに積載された包装物に破れ等の欠陥が見つかった場合について説明する。パレットに積載された包装物に破れ等の欠陥を見つけたオペレータは、例えば情報端末１０を介して再包装モード（再処理モード）を設定し、情報端末１０もしくはデータベースサーバ１１で所定のパレット情報を削除する。つまり、破れ等の欠陥が見つかった包装物と共に積載されている規定数の包装物に付与された包装物識別番号と、これら規定数の包装物を積載するパレットに付与されたパレット識別番号とを対応付けた所定のパレット情報を削除する。
【００２７】
さらに、オペレータは、破れ等の欠陥が見つかった包装物を含む規定数の包装物を積載しているパレットを解体し、このパレットから規定数の包装物（包装物識別番号が付与されている規定数の包装物）を取り外す。さらに破れ等の欠陥が見つかった包装物のみ破封する。破封により破れ等の欠陥が見つかった包装物から得られる規定数の紙葉類は、検査装置２の手前の紙葉類投入口１３から投入され、欠陥が見つかっていない残りの包装物は、パレット積載装置４の手前の包装物投入口１４から投入される。
【００２８】
検査装置２は、紙葉類から紙葉類識別番号を読み取り、読み取った紙葉類識別番号を情報端末７に送信する。情報端末７は、受信した紙葉類識別番号とデータベース１２に保存された既に処理済みの紙葉類識別番号を比較し重複を検査し、紙葉類識別番号及び検査結果を検査装置２と情報端末８に送信する。検査装置２は、検査結果が正常な紙葉類のみ包装装置３に送る。つまり、検査装置２は、既に処理済みの紙葉類に該当しない紙葉類のみ包装装置３に送る（上記したように所定のパレット情報が削除されているため、検査装置２で検査された紙葉類は処理済みの紙葉類に該当しないことになる）。
【００２９】
包装装置３は、規定数（所定数）の紙葉類（つまり破封により破れ等の欠陥が見つかった包装物から得られる規定数の紙葉類）を集積し、これら規定数の紙葉類を包装し、包装物を識別する包装物識別番号等を印刷したラベルを貼付し、包装物識別番号を情報端末８に送信し、パレット積載装置４に包装物を送る。情報端末８は、情報端末７から受信した紙葉類識別番号と包装装置３から受信した包装物識別番号を関連づけて包装物情報としてデータベース１２に保存する。
【００３０】
パレット積載装置４は、包装物をパレットに積載し、規定数（所定数）積載すると、パレットを識別するパレット識別番号等を印刷したラベルをパレットに貼付し、規定数の包装物を積載したパレットをパレット縛着装置５に送る。つまり、破れ等の欠陥が見つかり再包装された包装物と破れ等の欠陥が見つからなかった包装物を集めた規定数の包装物を積載したパレットがパレット縛着装置５に送られる。パレット縛着装置５は、パレットに積載された規定数の包装物をこのパレットに対して縛着（固定）し、パレットからパレット識別番号を読み取り、積載された各包装物から包装物識別番号を読み取り、これら読み取ったパレット識別番号及び包装物識別番号を情報端末１０に送信する。情報端末１０は、受信したパレット識別番号及び包装物識別番号と、データベース１２に保存した既に処理済みのパレット識別番号及び包装物識別番号を比較することにより重複を検査し、受信したパレット識別番号と包装物識別番号を関連づけてパレット情報としてデータベース１２に保存し、検査結果をパレット縛着装置５に送信する。パレット縛着装置５は、検査結果が正常なパレットのみ排出する。つまり、パレット縛着装置５は、既に処理済みのパレット及び既に処理済みの包装物に該当しないことを条件に（上記したように所定のパレット情報が削除されているため、既に処理済みのパレット及び既に処理済みの包装物に該当しないことになる）、処理したパレットを排出する。
【００３１】
以上により、作成したパレットに搭載された包装物に何らかの欠陥が見つかった場合に、データベースから当該のパレットのパレット情報（包装物情報を含む）を削除し、欠陥が見つかった包装物だけ最初から作成し直すので、少ない労力と短い時間で（必要最小限のやり直しで）、パレットを再作成することができる。つまり、作成した包装物に何らかの欠陥が見つかった場合に、全ての包装物を最初から作成し直す必要がなくなり、業務の効率を向上することができる。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３３】
【図１】図１は、この発明の一例の紙葉類処理装置（積載物処理装置）の概略構成を示すブロック図である。
【符号の説明】
【００３４】
１…取出装置、２…検査装置、３…包装装置、４…パレット積載装置、５…パレット縛着装置、６〜１０…情報端末、１１…データベースサーバ、１２…データベース、１３…紙葉類投入口、１４…包装物投入口
【図１】
2007062831.tif 000003